(57)【要約】 【課題】  本考案は、電気スタンドの設置状態を感知して、倒れた状態や設置面から離れた場合に、点灯しているライトを消灯可能とするためのものであると共に、例えば設置状態を必要位置でしっかりと維持でき、正しく設置されている状態を表出することによって前記の設置状態の感知を正確に行なえることを課題とする。【解決手段】  係る課題を解決するため、基台とアーム部とライト部とからなる電気スタンドで、基台の底部に突出状態の突出スイッチを有し、電気スタンドを定置した際に突出スイッチが収納状態となり、該突出スイッチが底面から離れることに伴って突出状態に戻ることによって電気スタンドのライト部のライトを消灯する電気スタンドによって解決できる。【選択図】    図１
0003135041.tif 000002
【実用新案登録請求の範囲】
【請求項１】
基台１とこれに連設する屈曲可能なアーム部２と、このアーム部２の一端に連設するライト部３とからなる電気スタンドであって、
基台１の底部には弾力をもって突出状態の突出スイッチ１３を有し、
基台１の底部を底面として電気スタンドを定置した際に、該突出スイッチ１３が設置面との接触又は近接によって弾力に抗して収納状態となり、電気スタンドのライト部３のライトに通電状態となり、
該突出スイッチ１３が設置面から離れることに伴って突出状態に戻ることによって電気スタンドのライト部３のライトを消灯するものであることを特徴とする電気スタンド。
【請求項２】
突出スイッチ１３を基台１から突出形成した突出部１２の底部１２０に有し、該突出スイッチ１３が設置面との接触又は近接によって、該突出部１２内に弾力に抗して収納状態となることを特徴とする請求項１記載の電気スタンド。
【請求項３】
基台１の底部には軟質樹脂材の円盤状吸盤部４を有しており、
摘み部１１を用いて該吸盤部４の中央部分４１を基台底部内部１５へ持ち上げることができ、
基台１の底部を底面に接した状態で吸盤部４の中央部分４１を持ち上げることによって吸盤部４の中央部分４１と設置面との間において真空状態に近づけることができ、
基台１を設置面に吸い付くように設置可能とすることを特徴とする請求項１又は２のいずれかに記載の電気スタンド。
【考案の詳細な説明】
【技術分野】
【０００１】
本考案は、センサー付電気スタンドに関し、特に電気スタンドの転倒状態を検知するセンサーを有する電気スタンドに関する。
【背景技術】
【０００２】
従来より、机上で使用する基台とアーム部とライト部とを基調とする電気スタンドは多用されており、スイッチを入れることによってライト部のライトが点灯するものである。
これは、予め電源コンセントを用いて通電状態とした後に、使用時に電気スタンドのスイッチを入れて点灯状態として用いるものであり、使用を終了した時点でスイッチを切ることによってライトの点灯状態を消灯状態とするものである。
従って、この様な構成の電気スタンドは各種あり、例えば特開２００２−５６７０５号に示す構成がある。
【特許文献１】特開２００２−５６７０５号
【考案の開示】
【考案が解決しようとする課題】
【０００３】
以上の様に、電気スタンド自体は従来から多用されており、ライトの点灯及び消灯は基本的にスイッチを用いて制御するものである。
しかし、例えばライト点灯中に地震や不用意な転倒に際して、ライトが点灯したままであるとするとライト部分が点灯により高温となることから、可燃性の高いものが近くにあると危険となる場合があり、この様な咄嗟の場合に点灯状態から消灯状態へと切り替える何らかの構造を有することによって、人の手を煩わせずとも安全な状態へと切り替えられるものであり、この様な電気スタンドが望まれているものである。
【０００４】
更に、非常時においてはそれぞれ電気スタンドに対する配慮よりも更に他のものに対する配慮が必要となるものであり、電気スタンドの消灯作業よりも他の作業を優先することが予想されることから、そのためにこの電気スタンドに対して突発時において、その状態を検知し、点灯状態から消灯状態とする何らかの方策を用いることが望まれるものである。
【課題を解決するための手段】
【０００５】
以上のように係る課題を見事に解決するため請求項１に係る考案を提供するものであり、係る考案は基台とこれに連設する屈曲可能なアーム部と、このアーム部の一端に連設するライト部とからなる電気スタンドであって、基台の底部には弾力をもって突出状態の突出スイッチを有し、基台の底部を底面として電気スタンドを定置した際に、該突出スイッチが設置面との接触又は近接によって弾力に抗して収納状態となり、電気スタンドのライト部のライトに通電状態となり、該突出スイッチが底面から離れることに伴って突出状態に戻ることによって電気スタンドのライト部のライトを消灯する電気スタンドからなり、係る考案によって前記課題を解決できる。
【０００６】
又、請求項２に係る考案は、突出スイッチを基台から突出形成した突出部の底部に有し、該突出スイッチ１３が設置面との接触又は近接によって、該突出部内に弾力に抗して収納状態となる電気スタンドであって、係る電気スタンドを用いても同様である。
この他、請求項３に係る考案は基台の底部には軟質樹脂材の円盤状吸盤部を有しており、摘み部を用いて該吸盤部の中央部分を基台底部内部へ持ち上げることができ、基台の底部を設置面に接した状態で吸盤部の中央部分を持ち上げることによって吸盤部の中央部分と設置面との間において真空状態に近づけることができ、基台を底面に吸い付くように設置可能とする電気スタンドからなり、係る考案であっても同様に前記課題を解決できる。
【考案の効果】
【０００７】
以上のように構成したことから、まず請求項１及び２に係る考案によって基台の底部の突出スイッチによってスタンドの基台が設置場所から離れたことを感知して消灯することができる。
従って、例えばスタンドが倒れた場合や設置場所から外れた場合を検知して消灯することができ、極めて効率的であると共に安全性の確保がはかれるものである。
即ち、点灯が不執拗な状態を感知して消灯とすることができ、更には点灯等に際してのライト部分例えば電球等の高温化に伴って、例えば点灯時において速やかに消灯することにより、ライト部分の低温化が図れ、安全性を維持できるものである。
【０００８】
次に請求項３に係る考案によって、特に底部の突出スイッチを必要時にきっちりと収納状態として維持でき、更には不必要にスタンドが倒れ、又は設置場所から外れるのを防止できる。
従って更なる安全性の維持が図れるばかりでなく突出スイッチの誤差をなくし、正確な感知を可能とするものである。
【考案を実施するための最良の形態】
【０００９】
図１は、本考案に係るセンサー付電気スタンドの一例を示す図である。
本図に示すように、机上で使用するための基台１とアーム部２とライト部３とを有しており、アーム部２を折り曲げてライト部３を所定の位置に定置し、ライト部３のライトを点灯することによって電気スタンドとして使用できるものである。
該電気スタンドの基台１の底には軟質樹脂材の円盤状吸盤部４を有しており、基台１を机上においた場合に、基台１と机の間に該吸盤部４が位置し、該吸盤部４の中央部分４１を基台１底部内部で押し上げることによって該吸盤部４の中央部４１を真空状態に近づけ、机上にぴったりと吸い付くように設置可能とするものである。
【００１０】
従って、底面と設置面との間に円盤状吸盤部４があり、かかる吸盤の表面と設置すべき机等の表面とが略真空状態で接することから、両者がきっちりと定置してぐらつきや不用意な転倒等が防げるものである。
このために該吸盤部４の中央部４１を基台１内部に押し上げるための摘み部１１を有する。
この摘み部１１を持って例えば前に押し倒すと、吸盤部４の中央部４１が、基台１内部方向に押し上げられて、設置面である机との間において真空状態となり、きっちりと吸い付くものとなる。
【００１１】
更にこの摘み部１１を押し上げると吸盤部４の中央部は机方向に戻されることとなり、両者間の間は平行となるものであって、真空状態がなくなり前記吸い付き状態を解消できるものである。
従って、簡単に該電気スタンドを机上から取り外すことができる。
この様に底部に吸盤構成を有することから机上においてもきっちりと設置できるばかりでなく、傾斜した面や壁或いは天井等各種の場所に該電気スタンドを設置できるものである。
【００１２】
該基台１には一方向に突出部１２をもっており、その底部１２０には突出スイッチ１３を有する。
該突出スイッチ１３は通常は底部方向に突出状態に弾圧されているが、該突出スイッチ１３を押すことによって突出部１２内或いは基台１内に収納されるものである。
従って該電気スタンドを机上や壁等に設置しない場合や基台１底部に何らのものもない倒れた状態や壁から落ちた状態においては、突出スイッチ１３は突出状態を表出することとなる。
【００１３】
反面、机上や壁或いは天井等の各種位置に設置した状態では、設置面に前記吸盤部４が密着して定置されるものとなると共に該突出部１２も該設置位置の設置面に極めて近接して定置することから、該突出スイッチ１３は突出部１２内に収納された状態となる。
この場合、突出スイッチ１３はその突出状態と突出部１２内に収納状態の二つの状態に基づいて必要な制御を行うものである。
即ち例えば突出スイッチ１３が突出部１２内に収納された状態を検知し、この状態で始めてライト部３の電球類に通電可能となるオン状態とし、点灯するものであってもよい。
【００１４】
従って、突出スイッチ１３が押された状態で通電するものとしてもよい。
或いは、逆に突出スイッチ１３はその突出状態を検知しこの状態でオフ状態とするもの、即ち消灯するものであってもよい。
或いは、それぞれの状態を検知し、それぞれに応じてオン状態とオフ状態である点灯と消灯を制御する回路を有するものであってもよい。
これらは必要に応じて用いればよく、少なくとも突出スイッチ１３が突出状態の場合にライトが消灯するものであればよい。
【００１５】
この様に構成することによって、不用意に電気スタンドが倒れ又は外れた場合にそのライトの点灯を消し、不必要な電気の使用を防止すると共に転倒時においてライト部３のライト部分例えば電球類の高温状態を速やかに終了させて、低温化することによって安全を図ることもできる。
【００１６】
図２は、本電気スタンドの基台の底部を視認した状態の図である。
本図に示すように基台１底部には吸盤部４を有すると共に、基台１底部内部１５は空洞状態となっており、吸盤部４の中央部分４１には基台１内部に持ち上げられるように摘み部１１に連設した連設部１４があり、この連設部１４が持ち上がることによって吸盤部４中央４１が持ち上がって設置面との間を真空状態に近づけることができる。
更に該基台１には突出部１２を有しており、その底部１２０には突出スイッチ１３を有している。
【００１７】
本図では突出部１２の底部に突出スイッチ１３を有するが、これに限らず基台１底部自体に有するものであってもよい。
該突出スイッチ１３は弾力をもって突出位置で位置規制されるが、該底部を設置面に近づけるか接する等することによって突出スイッチ１３が該弾力に抗して基台１や突出部１２内部に入り込みことによってスタンドのライトを点灯可能状態となる。
また、設置面から底部が離れることによって突出スイッチ１３は弾力をもって突出位置に移動することとなる。
この状態によって該スタンドのライトを消灯するものである。
【図面の簡単な説明】
【００１８】
【図１】本考案に係る電気スタンドの一例を示す図
【図２】図１に示す電気スタンドの底面を示す図
【符号の説明】
【００１９】
１      基台
１１    摘み部
１２    突出部
１２０  突出部底部
１３    突出スイッチ
１４    連設部
１５    基台底部内部
２      アーム部
３      ライト部
４      吸盤部
４１    吸盤部中央部
【図１】
0003135041.tif 000003
【図２】
0003135041.tif 000004